(57)【特許請求の範囲】
【請求項１】
画角および／または撮影位置が異なる第１画像および第２画像を撮影可能な撮像装置であって、
前記第１画像および前記第２画像を時間的に連続して撮影することによって得られる第１動画データおよび第２動画データをそれぞれ記録する制御を行う記録制御部を備え、
前記記録制御部は、
前記第２画像を断続的に記録する場合において、前記第２画像を記録していない期間を前記第１画像によって補間することを特徴とする撮像装置。
【請求項２】
被写体を撮像して該被写体の画像データを連続的に生成する撮像部をさらに備え、
前記第２画像は、前記撮像部が生成した前記画像データに対応する撮影画像を該撮影画像と異なる画角および／または撮影位置で切り出されたことを特徴とする請求項１に記載の撮像装置。
【請求項３】
前記撮像部が生成した前記撮影画像に画像処理を順次行って前記第１動画データを生成する第１画像処理部と、
前記撮像部が生成した前記撮影画像から該撮影画像と異なる画角の領域を順次切り出す画像処理を行って前記第２動画データを生成する第２画像処理部と、
前記第１動画データおよび前記第２動画データを記録する記録部と、
をさらに備え、
前記記録制御部は、前記第１動画データおよび前記第２動画データを同期させて再生できるように前記記録部に記録することを特徴とする請求項２に記載の撮像装置。
【請求項４】
動画撮影の開始を指示する動画開始信号および動画撮影の終了を指示する動画終了信号の入力を受け付ける第１の動画撮影操作部と、
前記第２画像の撮影の開始を指示する開始信号および前記第２画像の撮影の終了を指示する終了信号の入力を受け付ける第２の動画撮影操作部と、
前記第２画像処理部が前記撮影画像から切り出す領域を設定する領域設定部と、
をさらに備え、
前記記録制御部は、前記第２の動画撮影操作部から前記開始信号が入力された場合、前記領域設定部が前記第２画像処理部に設定する前記領域を前記第２画像に対応する領域に設定する一方、前記第２の動画撮影操作部から前記終了信号が入力された場合、前記領域設定部が前記第２画像処理部に設定する前記領域を前記第１画像に対応する領域に設定することを特徴とする請求項３に記載の撮像装置。
【請求項５】
前記撮影画像を表示可能な表示部と、
前記表示部の表示画面上に設けられ、外部からの物体のタッチを検出し、検出したタッチ位置に応じた位置信号を出力するタッチパネルと、
をさらに備え、
前記領域設定部は、前記タッチパネルから入力される位置信号に応じた位置に対応する前記撮影画像の領域を、前記第２画像処理部が前記撮影画像から切り出す領域に設定することを特徴とする請求項４に記載の撮像装置。
【請求項６】
前記第２画像を撮影している状態で、前記第２画像の撮影の終了を示す終了情報を前記表示部に表示させる表示制御部をさらに備え、
前記終了信号は、前記タッチパネルから前記終了情報に対応する領域の前記位置信号であり、
前記開始信号は、前記タッチパネルから入力される前記終了情報に対応する領域以外の前記位置信号であることを特徴とする請求項５に記載の撮像装置。
【請求項７】
前記タッチパネルから入力される位置信号に応じた位置を含む領域内に含まれる被写体の特徴を判定する特徴判定部と、
前記特徴判定部が判定した判定結果に基づいて、隣接する前記撮影画像内で追尾する被写体を設定する追尾設定部と、
をさらに備え、
前記領域設定部は、前記追尾設定部が設定した被写体を含む領域を、前記第２画像処理部が前記撮影画像から切り出す領域に設定することを特徴とする請求項５または６に記載の撮像装置。
【請求項８】
前記記録制御部は、前記第１動画データおよび前記第２動画データに、前記タッチパネルが外部からの物体のタッチを検出したタッチ位置および／またはタッチを検出した時間情報を含むタッチ情報を対応付けて前記記録部に記録することを特徴とする請求項５〜７のいずれか一つに記載の撮像装置。
【請求項９】
前記第２画像は、前記第１画像より画角が小さいことを特徴とする請求項５〜８のいずれか一つに記載の撮像装置。
【請求項１０】
前記表示制御部は、前記記録部に記録された前記第１動画データおよび前記第２動画データを前記表示部に表示させる場合、前記第１動画データおよび前記第２動画データを同期させて前記表示部に表示させることを特徴とする請求項６に記載の撮像装置。
【請求項１１】
前記表示制御部は、前記第１画像に、所定の表示領域に縮小した前記第２画像を重畳して前記表示部に表示させることを特徴とする請求項１０に記載の撮像装置。
【請求項１２】
前記表示制御部は、前記タッチパネルが外部からの物体のタッチを検出したタッチ位置および／またはタッチを検出した時間情報を含むタッチ情報に基づいて、表現効果を伴って前記第１画像および前記第２画像それぞれの表示領域を切り替えることを特徴とする請求項１０または１１に記載の撮像装置。
【請求項１３】
前記表示制御部は、前記第１画像および前記第２画像それぞれの表示領域を徐々に切り替える表現効果、または前記第１画像に前記第２画像を合成する合成比率を徐々に切り替える表現効果を行って前記表示部に表示させることを特徴とする請求項１２に記載の撮像装置。
【請求項１４】
画角および／または撮影位置が異なる第１画像および第２画像を撮影可能な撮像装置が実行する撮像方法であって、
前記第１画像および前記第２画像を時間的に連続して撮影することによって得られる第１動画データおよび第２動画データをそれぞれ記録する制御を行う記録制御ステップを含み、
前記記録制御ステップは、
前記第２画像を断続的に記録する場合において、前記第２画像を記録していない期間を前記第１画像によって補間することを特徴とする撮像方法。
【請求項１５】
画角および／または撮影位置が異なる第１画像および第２画像を撮影可能な撮像装置に実行させるプログラムであって、
前記第１画像および前記第２画像を時間的に連続して撮影することによって得られる第１動画データおよび第２動画データをそれぞれ記録する制御を行う記録制御ステップを含み、
前記記録制御ステップは、
前記第２画像を断続的に記録する場合において、前記第２画像を記録していない期間を前記第１画像によって補間することを特徴とするプログラム。
【発明の詳細な説明】
【技術分野】
【０００１】
本発明は、被写体を撮像して該被写体の画像データを生成する撮像装置、撮像方法およびプログラムに関する。
【背景技術】
【０００２】
近年、デジタルカメラ等の撮像装置において、被写体を異なる２つの画角で撮像して生成した２つの画像データを合成して記録することができる技術が知られている（たとえば、特許文献１を参照）。この技術では、広角側で撮影した画像に、望遠側で撮影した画像を合成して合成画像を生成することにより、１画面分の画像データを記録する。
【先行技術文献】
【特許文献】
【０００３】
【特許文献１】特開２０１０−２６８０１９号公報
【発明の概要】
【発明が解決しようとする課題】
【０００４】
ところで、上述した従来技術は、異なる２つの画角で撮影した画像を合成しているだけであり、別々の画像として記憶しているわけではなかった。このため、たとえば動画を撮影する場合には、画角が異なる画像を別々に再生したり、途中で画角を変更しながら再生したりすることができず、変化に乏しい動画しか撮影することができなかった。
【０００５】
本発明は、上記に鑑みてなされたものであって、異なる画角で撮影した画像を用いて、より変化に富んだ動画の撮影を行うことができる撮像装置、撮像方法およびプログラムを提供することを目的とする。
【課題を解決するための手段】
【０００６】
上述した課題を解決し、目的を達成するために、本発明にかかる撮像装置は、画角および／または撮影位置が異なる第１画像および第２画像を撮影可能な撮像装置であって、前記第１画像および前記第２画像を時間的に連続して撮影することによって得られる第１動画データおよび第２動画データをそれぞれ記録する制御を行う記録制御部を備え、前記記録制御部は、前記第２画像を断続的に記録する場合、前記第２画像を記録していない期間を他の画像で補間することを特徴とする。
【０００７】
また、本発明にかかる撮像装置は、上記発明において、被写体を撮像して該被写体の画像データを連続的に生成する撮像部をさらに備え、前記第２画像は、前記撮像部が生成した前記画像データに対応する撮影画像を該撮影画像と異なる画角および／または撮影位置で切り出されたことを特徴とする。
【０００８】
また、本発明にかかる撮像装置は、上記発明において、前記他の画像は、前記第１画像であることを特徴とする。
【０００９】
また、本発明にかかる撮像装置は、上記発明において、前記撮像部が生成した前記撮影画像に画像処理を順次行って前記第１動画データを生成する第１画像処理部と、前記撮像部が生成した前記撮影画像から該撮影画像と異なる画角の領域を順次切り出す画像処理を行って前記第２動画データを生成する第２画像処理部と、前記第１動画データおよび前記第２動画データを記録する記録部と、をさらに備え、前記記録制御部は、前記第１動画データおよび前記第２動画データを同期させて再生できるように前記記録部に記録することを特徴とする。
【００１０】
また、本発明にかかる撮像装置は、上記発明において、動画撮影の開始を指示する動画開始信号および動画撮影の終了を指示する動画終了信号の入力を受け付ける第１の動画撮影操作部と、前記第２画像の撮影の開始を指示する開始信号および前記第２画像の撮影の終了を指示する終了信号の入力を受け付ける第２の動画撮影操作部と、前記第２画像処理部が前記撮影画像から切り出す領域を設定する領域設定部と、をさらに備え、前記記録制御部は、前記第２の動画撮影操作部から前記開始信号が入力された場合、前記領域設定部が前記第２画像処理部に設定する前記領域を前記第２画像に対応する領域に設定する一方、前記第２の動画撮影操作部から前記終了信号が入力された場合、前記領域設定部が前記第２画像処理部に設定する前記領域を前記第１画像に対応する領域に設定することを特徴とする。
【００１１】
また、本発明にかかる撮像装置は、上記発明において、前記撮影画像を表示可能な表示部と、前記表示部の表示画面上に設けられ、外部からの物体のタッチを検出し、検出したタッチ位置に応じた位置信号を出力するタッチパネルと、をさらに備え、前記領域設定部は、前記タッチパネルから入力される位置信号に応じた位置に対応する前記撮影画像の領域を、前記第２画像処理部が前記撮影画像から切り出す領域に設定することを特徴とする。
【００１２】
また、本発明にかかる撮像装置は、上記発明において、前記第２画像を撮影している状態で、前記第２画像の撮影の終了を示す終了情報を前記表示部に表示させる表示制御部をさらに備え、前記終了信号は、前記タッチパネルから前記終了情報に対応する領域の前記位置信号であり、前記開始信号は、前記タッチパネルから入力される前記終了情報に対応する領域以外の前記位置信号であることを特徴とする。
【００１３】
また、本発明にかかる撮像装置は、上記発明において、前記タッチパネルから入力される位置信号に応じた位置を含む領域内に含まれる被写体の特徴を判定する特徴判定部と、前記特徴判定部が判定した判定結果に基づいて、隣接する前記撮影画像内で追尾する被写体を設定する追尾設定部と、をさらに備え、前記領域設定部は、前記追尾設定部が設定した被写体を含む領域を、前記第２画像処理部が前記撮影画像から切り出す領域に設定することを特徴とする。
【００１４】
また、本発明にかかる撮像装置は、上記発明において、前記記録制御部は、前記第１動画データおよび前記第２動画データに、前記タッチパネルが外部からの物体のタッチを検出したタッチ位置および／またはタッチを検出した時間情報を含むタッチ情報を対応付けて前記記録部に記録することを特徴とする。
【００１５】
また、本発明にかかる撮像装置は、上記発明において、前記第２画像は、前記第１画像より画角が小さいことを特徴とする。
【００１６】
また、本発明にかかる撮像装置は、上記発明において、前記表示制御部は、前記記録部に記録された前記第１動画データおよび前記第２動画データを前記表示部に表示させる場合、前記第１動画データおよび前記第２動画データを同期させて前記表示部に表示させることを特徴とする。
【００１７】
また、本発明にかかる撮像装置は、上記発明において、前記表示制御部は、前記第１画像に、所定の表示領域に縮小した前記第２画像を重畳して前記表示部に表示させることを特徴とする。
【００１８】
また、本発明にかかる撮像装置は、上記発明において、前記表示制御部は、前記タッチ情報に基づいて、表現効果を伴って前記第１画像および前記第２画像それぞれの表示領域を切り替えることを特徴とする。
【００１９】
また、本発明にかかる撮像装置は、上記発明において、前記表示制御部は、前記第１画像および前記第２画像それぞれの表示領域を徐々に切り替える表現効果、または前記第１画像に前記第２画像を合成する合成比率を徐々に切り替える表現効果を行って前記表示部に表示させることを特徴とする。
【００２０】
また、本発明にかかる撮像方法は、画角および／または撮影位置が異なる第１画像および第２画像を撮影可能な撮像装置が実行する撮像方法であって、前記第１画像および前記第２画像を時間的に連続して撮影することによって得られる第１動画データおよび第２動画データをそれぞれ記録する制御を行う記録制御ステップを含み、前記記録制御ステップは、前記第２画像を断続的に記録する場合、前記第２画像を記録していない期間を、他の画像で補間することを特徴とする。
【００２１】
また、本発明にかかるプログラムは、画角および／または撮影位置が異なる第１画像および第２画像を撮影可能な撮像装置に実行させるプログラムであって、前記第１画像および前記第２画像を時間的に連続して撮影することによって得られる第１動画データおよび第２動画データをそれぞれ記録する制御を行う記録制御ステップを含み、前記記録制御ステップは、前記第２画像を断続的に記録する場合、前記第２画像を記録していない期間を、他の画像で補間することを特徴とする。
【発明の効果】
【００２２】
本発明によれば、異なる画角で撮影した画像を用いて、より変化に富んだ動画の再生を行うことができるという効果を奏する。
【図面の簡単な説明】
【００２３】
【図１】図１は、本発明の一実施の形態にかかる撮像装置の構成を示すブロック図である。
【図２】図２は、本発明の一実施の形態にかかる撮像装置が実行するマルチレコーディング処理の概要を説明する図である。
【図３】図３は、本発明の一実施の形態にかかる撮像装置が実行する処理の概要を示すフローチャートである。
【図４】図４は、本発明の一実施の形態にかかる撮像装置が実行する撮影制御処理の概要を示すフローチャートである。
【図５】図５は、本発明の一実施の形態にかかる撮像装置が実行する第２動画候補枠表示処理の概要を示すフローチャートである。
【図６】図６は、本発明の一実施の形態にかかる撮像装置が実行する再生表示処理の概要を示すフローチャートである。
【図７】図７は、本発明の一実施の形態にかかる撮像装置が実行するマルチフレームの動画を手動で切り替える際の動画の遷移を模式的に示す図である。
【図８】図８は、本発明の一実施の形態にかかる撮像装置が実行するマルチフレームの動画を自動で切り替える際の動画の遷移を模式的に示す図である。
【図９】図９は、本発明の一実施の形態にかかる撮像装置が実行するマルチフレームの動画を自動で切り替える際の動画の遷移を模式的に示す図である。
【図１０】図１０は、本発明の一実施の形態にかかる撮像装置が実行するマルチフレームの動画を自動で切り替える際の別の動画の遷移を模式的に示す図である。
【図１１】図１１は、本発明の一実施の形態にかかる撮像装置が実行する別のマルチレコーディング処理の概要を模式的に説明する図である。
【図１２】図１２は、本発明の一実施の形態にかかる撮像装置が実行する別のマルチレコーディング処理の概要を模式的に説明する図である。
【発明を実施するための形態】
【００２４】
以下に、図面を参照して、本発明を実施するための形態（以下、「実施の形態」という）について説明する。なお、この実施の形態によって本発明が限定されるものではない。また、図面の記載において、同一の部分には同一の符号を付して説明する。
【００２５】
図１は、本発明の一実施の形態にかかる撮像装置の構成を示すブロック図である。図１に示す撮像装置１は、レンズ部２と、レンズ駆動部３と、絞り４と、絞り駆動部５と、シャッタ６と、シャッタ駆動部７と、撮像素子８と、撮像素子駆動部９と、信号処理部１０と、Ａ／Ｄ変換部１１と、第１画像処理部１２と、特徴判定部１３と、追尾設定部１４と、第２画像処理部１５と、ＡＥ処理部１６と、ＡＦ処理部１７と、画像圧縮展開部１８と、入力部１９と、表示部２０と、表示駆動部２１と、記録媒体２２と、メモリＩ／Ｆ２３と、ＳＤＲＡＭ２４と、Ｆｌａｓｈメモリ２５と、バス２６と、制御部２７と、を備える。撮像装置１内部のデータの転送は、バス２６を介して行われる。
【００２６】
レンズ部２は、一または複数のレンズを用いて構成される。レンズ部２は、所定の視野領域から光を集光する。レンズ部２は、画角を変化させる光学ズーム機能および焦点を変化させるフォーカス機能を有する。レンズ駆動部３は、ＤＣモータまたはステッピングモータ等を用いて構成され、制御部２７から入力される指示信号に応じてレンズ部２のレンズを光軸Ｌ上で移動させることにより、レンズ部２のピント位置や画角等の変更を行う。
【００２７】
絞り４は、レンズ部２が集光した光の入射量を制限することにより露出の調整を行う。絞り駆動部５は、ステッピングモータ等を用いて構成され、制御部２７から入力される指示信号に応じて絞り４を駆動する。
【００２８】
シャッタ６は、撮像素子８の状態を露光状態または遮光状態に設定する。シャッタ駆動部７は、ステッピングモータ等を用いて構成され、制御部２７から入力される指示信号に応じてシャッタ６を駆動する。
【００２９】
撮像素子８は、レンズ部２が集光した光を受光して電気信号に変換するＣＣＤ（Charge  Coupled  Device）またはＣＭＯＳ（Complementary  Metal  Oxide  Semiconductor）等を用いて構成される。撮像素子駆動部９は、所定のタイミングで撮像素子８から画像データ（アナログ信号）を連続的に信号処理部１０に出力させる。この意味で、撮像素子駆動部９は、電子シャッタとして機能する。なお、本実施の形態では、撮像素子８および撮像素子駆動部９が撮像部として機能する。
【００３０】
信号処理部１０は、撮像素子８から入力されるアナログ信号に対して、アナログ処理を施してＡ／Ｄ変換部１１に出力する。具体的には、信号処理部１０は、画像データに対して、ノイズ低減処理およびゲインアップ処理等を行う。たとえば、信号処理部１０は、アナログ信号に対して、リセットノイズ等を低減した上で波形整形を行い、さらに目的の明るさとなるようにゲインアップを行う。
【００３１】
Ａ／Ｄ変換部１１は、信号処理部１０から入力されるアナログ信号に対してＡ／Ｄ変換を行うことによってデジタルの画像データ（撮影画像）を生成し、バス２６を介してＳＤＲＡＭ２４に出力する。
【００３２】
第１画像処理部１２は、画像エンジン（画像コントローラ）を用いて構成される。第１画像処理部１２は、バス２６を介してＳＤＲＡＭ２４から画像データを取得し、取得した画像データ（ＲＡＷデータ）に対して各種の画像処理を行って第１処理画像データ（第１画像データ）を生成する。具体的には、第１画像処理部１２は、画像データに対して、少なくとも、オプティカルブラック減算処理、ホワイトバランス（ＷＢ）調整処理、撮像素子がベイヤー配列の場合には画像データの同時化処理、カラーマトリクス演算処理、ガンマ補正処理、リサイズ処理、トリミング処理、色再現処理およびエッジ強調処理等を含む画像処理を行う。第１画像処理部１２が画像処理を行った第１処理画像データは、バス２６を介してＳＤＲＡＭ２４および特徴判定部１３にそれぞれ出力する。第１画像処理部１２は、バス２６を介してＳＤＲＡＭ２４から撮像素子８が連続的に生成した画像データを順次取得し、取得した画像データに対応する撮影画像に対して画像処理を行って第１動画データを構成する第１処理画像データを順次生成する。
【００３３】
特徴判定部１３は、第１画像処理部１２から入力される第１処理画像データに基づいて、この第１処理画像データに対応する処理画像に含まれる主要被写体の特徴を判定する。具体的には、特徴判定部１３は、後述する入力部１９から入力される指示信号または制御部２７から入力される指示信号に基づいて、第１処理画像データに対応する処理画像で指定された対象領域に含まれる主要被写体の特徴点を判定し、この判定結果を追尾設定部１４に出力する。ここで、特徴点とは、輝度およびコントラストである。なお、特徴判定部１３は、対象領域のカラーヒストグラムを用いて特徴点を判定してもよい。
【００３４】
追尾設定部１４は、特徴判定部１３から入力される特徴点と、ＳＤＲＡＭ２４に記録された処理画像データに対応する処理画像とに基づいて、主要被写体を追尾する追尾被写体として設定する。具体的には、追尾設定部１４は、ＳＤＲＡＭ２４から時間的に連続する第１処理画像データを順次取得し、取得した第１処理画像データに対応する処理画像に含まれる特徴点を有する主要被写体を画像間で追尾する追尾被写体として設定する。
【００３５】
第２画像処理部１５は、画像エンジン（画像コントローラ）を用いて構成される。第２画像処理部１５は、バス２６を介してＳＤＲＡＭ２４から画像データを取得し、取得した画像データに対して、第１画像処理部１２と同様の画像処理を行って第２処理画像データを生成する。また、第２画像処理部１５は、バス２６を介してＳＤＲＡＭ２４から撮像素子８が連続的に生成した画像データを順次取得し、取得した画像データに対応する撮影画像に対して画像処理を行って第２の画角の第２動画を構成する第２処理画像データ（第２画像）を生成する。また、第２画像処理部１５は、後述する制御部２７から入力される信号または追尾設定部１４から設定結果に基づいて、撮影画像から所定の領域を切り出す処理（トリミング処理）を行うことによって第２動画データを構成する第２処理画像データを順次生成する。具体的には、第２画像処理部１５は、撮影画像から第１動画の画角より狭い第２の画角（望遠側）に対応する領域を切り出すことによって第２動画データを構成する第２処理画像データを生成する。
【００３６】
ＡＥ処理部１６は、ＳＤＲＡＭ２４に記録された画像データを取得し、取得した画像データに基づいて、静止画撮影または動画撮影を行う際の露出条件を設定する。具体的には、ＡＥ処理部１６は、画像データから輝度を算出し、算出した輝度に基づいて、たとえば絞り値（Ｆ値）の設定値、シャッタ速度等を決定することで撮像装置１の自動露出を行う。
【００３７】
ＡＦ処理部１７は、ＳＤＲＡＭ２４に記録された画像データを取得し、取得した画像データに基づいて、撮像装置１の自動焦点の調整を行う。たとえば、ＡＦ処理部１７は、画像データから高周波成分の信号を取り出し、高周波成分の信号に対してＡＦ（Auto  Focus）演算処理（コントラストＡＦ処理と呼ばれることもある）を行うことによって、撮像装置１の合焦評価を決定することで撮像装置１の自動焦点の調整を行う。
【００３８】
画像圧縮展開部１８は、ＳＤＲＡＭ２４に記録された画像データを取得し、取得した画像データに対して所定の形式に従って圧縮し、この圧縮した画像データをＳＤＲＡＭ２４に出力する。また、画像圧縮展開部１８は、バス２６を介してメモリＩ／Ｆ２３を介して記録媒体２２に記録された画像データ（圧縮画像データ）を取得し、取得した画像データを展開（伸長）してＳＤＲＡＭ２４に出力する。画像圧縮展開部１８は、静止画圧縮展開部１８１と、第１動画圧縮展開部１８２と、第２動画圧縮展開部１８３と、を有する。
【００３９】
静止画圧縮展開部１８１は、画像データに対してＪＰＥＧ（Joint  Photographic  Experts  Group）方式に従って、画像データを圧縮または展開してＳＤＲＡＭ２４に出力する。
【００４０】
第１動画圧縮展開部１８２は、第１動画データに対してＭｏｔｉｏｎＪＰＥＧ方式、ＭＰ４（Ｈ．２６４）方式およびＡＶＩ方式のいずれかに従って、動画データを圧縮または展開してＳＤＲＡＭ２４に出力する。
【００４１】
第２動画圧縮展開部１８３は、第２動画データに対してＭｏｔｉｏｎＪＰＥＧ方式、ＭＰ４（Ｈ．２６４）方式およびＡＶＩ方式のいずれかに従って、動画データを圧縮または展開してＳＤＲＡＭ２４に出力する。
【００４２】
入力部１９は、静止画撮影の指示を与えるレリーズ信号を入力する静止画撮影操作部１９１と、動画撮影の指示信号を入力する動画撮影操作部１９２と、撮像装置１に設定された各種撮影モード切換の指示を与える切替信号を入力するモード切替操作部１９３と、撮像装置１の各種設定パラメータを設定する設定信号を入力するダイヤル式の設定操作部１９４と、表示部２０の表示画面上に重ねて設けられ、外部からの接触位置に応じた信号の入力を受け付けるタッチパネル１９５と、を有する。静止画撮影操作部１９１は、外部からの押圧により進退可能である。静止画撮影操作部１９１が半押された場合、撮影順次動作を指示する１ｓｔレリーズ信号が入力される。これに対して、静止画撮影操作部１９１が全押しされた場合、静止画撮影を指示する２ｓｔレリーズ信号が入力される。なお、入力部１９は、撮像装置１の各種設定を表示部２０に表示される指示信号の入力を入力するメニュー操作部（図示せず）および記録媒体２２が記録する画像データを表示部２０に表示させる再生信号を入力する再生操作部（図示せず）を有する。
【００４３】
表示部２０は、液晶または有機ＥＬ（Electro  Luminescence）等からなる表示パネルを用いて構成される。表示駆動部２１は、ＳＤＲＡＭ２４が記録する画像データまたは記録媒体２２が記録する画像データを取得し、取得した画像データに対応する画像を表示部２０に表示させる。ここで、画像の表示には、撮影直後の画像データを所定時間（例えば３秒間）だけ表示するレックビュー表示、記録媒体２２に記録された画像データを再生する再生表示、および撮像素子８が連続的に生成する画像データに対応するライブビュー画像を時系列に沿って順次表示するライブビュー表示等が含まれる。また、表示部２０は、撮像装置１の操作情報および撮影に関する情報を適宜表示する。表示部２０は、画像データに対応する画像を表示する。表示部２０は、撮像装置１の操作に関する操作情報や撮影に関する撮影情報を表示する。
【００４４】
記録媒体２２は、撮像装置１の外部から装着されるメモリカード等を用いて構成される。記録媒体２２は、メモリＩ／Ｆ２３を介して撮像装置１に着脱自在に装着される。記録媒体２２には、その種類に応じた図示しない読み書き装置によって第１画像処理部１２、第２画像処理部１５および画像圧縮展開部１８のいずれかが処理を施した画像データまたは動画データが書き込まれ、または読み書き装置によって記録媒体２２に記録された画像データまたは動画データが読み出される。また、記録媒体２２は、制御部２７の制御のもと、メモリＩ／Ｆ２３およびバス２６を介して撮像プログラムおよび各種情報それぞれをＦｌａｓｈメモリ２５に出力してもよい。
【００４５】
ＳＤＲＡＭ２４は、揮発性メモリを用いて構成される。ＳＤＲＡＭ２４は、バス２６を介してＡ／Ｄ変換部１１から入力される画像データ、第１画像処理部１２から入力される処理画像データ、第２画像処理部１５から入力される処理画像データおよび撮像装置１の処理中の情報を一時的に記録する一次記録部としての機能を有する。ＳＤＲＡＭ２４は、第１動画仮記録部２４１と、第２動画仮記録部２４２と、静止画仮記録部２４３とを有する。
【００４６】
第１動画仮記録部２４１は、信号処理部１０、Ａ／Ｄ変換部１１およびバス２６を介して、撮像素子８が１フレーム毎に順次出力する画像データ（撮影画像）を一時的に記録する。また、第１動画仮記録部２４１は、撮像装置１が２つの画角の動画を撮影するマルチレコーディング撮影モードに設定されている場合、第１画像処理部１２が画像処理を行った第１動画データを構成する第１処理画像データを一時的に記録する。
【００４７】
第２動画仮記録部２４２は、第２画像処理部１５が画像処理を行った第２動画データを構成する第２処理画像データを一時的に記録する。
【００４８】
静止画仮記録部２４３は、静止画撮影操作部１９１から２ｓｔレリーズ信号が入力された場合、信号処理部１０、Ａ／Ｄ変換部１１およびバス２６を介して、撮像素子８から入力される静止画画像データを一時的に記録する。
【００４９】
Ｆｌａｓｈメモリ２５は、不揮発性メモリを用いて構成される。Ｆｌａｓｈメモリ２５は、プログラム記録部２５１と、特徴情報記録部２５２と、を有する。
【００５０】
プログラム記録部２５１は、撮像装置１を動作させるための各種プログラム、撮像プログラムおよびプログラムの実行中に使用される各種データ、第１画像処理部１２および第２画像処理部１５による画像処理の動作に必要な各種パラメータ等を記録する。
【００５１】
特徴情報記録部２５２は、選択された候補域における特徴情報を記録する。この特徴情報は、たとえば候補域に人物の顔が含まれる場合には、その顔の特徴情報（目、口、鼻、眉毛の位置、大きさ等）である。また、候補域に人物の顔が含まれない場合には、その候補域に含まれる特徴的な色の情報や輝度等である。
【００５２】
制御部２７は、ＣＰＵ（Central  Processing  Unit）等を用いて構成される。制御部２７は、バス２６を介して撮像装置１を構成する各部に対して制御信号や各種データの転送を行うことにより、撮像装置１の動作を統括的に制御する。制御部２７は、入力部１９から撮影動作の開始信号が入力された場合、撮影動作を開始する制御を行う。ここで、撮影動作とは、シャッタ駆動部７および撮像素子駆動部９の駆動によって撮像素子８が出力した画像データに対し、信号処理部１０、Ａ／Ｄ変換部１１および第１画像処理部１２が所定の処理を施す動作をいう。このように処理が施された画像データは、制御部２７の制御のもと、画像圧縮展開部１８で所定の形式にしたがって圧縮され、バス２６およびメモリＩ／Ｆ２３を介して記録媒体２２に記録される。なお、記録媒体２２とは別に撮像装置１の内部に所定の記録領域を確保し、この記録領域に圧縮した画像データを記憶するようにしてもよい。
【００５３】
制御部２７の詳細な構成について説明する。制御部２７は、顔検出部２７１と、タッチ検出部２７２と、領域設定部２７３と、記録制御部２７４と、表示制御部２７５と、を有する。
【００５４】
顔検出部２７１は、画像データに対応する画像に含まれる人の顔をパターンマッチング等によって検出する。具体的には、顔検出部２７１は、パターンマッチングにより画像中の顔の位置を検出後、目や鼻、口等の顔の特徴点の位置を検出することによって、顔の位置、顔の大きさ（サイズ）、顔の向き、顔の角度（傾き）等を検出する。なお、顔検出部２７１は、人物の顔だけでなく、犬や猫等の顔を検出してもよい。さらに、顔検出部２７１は、パターンマッチング以外の周知技術を用いて人の顔を検出してもよい。
【００５５】
タッチ検出部２７２は、タッチパネル１９５から入力された位置信号に応じた表示部２０上のタッチ位置を検出する。
【００５６】
領域設定部２７３は、第２画像処理部１５が撮影画像から切り出す領域（トリミング領域）を設定する。具体的には、領域設定部２７３は、タッチ検出部２７２が検出した検出結果に基づいて、タッチ位置に対応する撮影画像の領域を、第２画像処理部１５が撮影画像から切り出す領域に設定する。また、領域設定部２７３は、追尾設定部１４が設定した主要被写体が含まれる領域を、第２画像処理部１５が撮影画像から切り出す領域に設定する。さらに、顔検出部２７１が検出した顔の領域を、第２画像処理部１５が撮影画像から切り出す領域に設定してもよい。また、領域設定部２７３は、撮像装置１が動画撮影中に別の箇所をタッチした場合、第２画像の切り出し領域を変更する。これにより、ユーザが別の箇所をタッチした違う箇所（領域）が第２動画として記録される。さらにまた、領域設定部２７３は、撮像装置１が動画撮影中に画面をタッチしたままタッチ箇所を移動させた場合、タッチの軌跡に応じて撮影画像から切り出す第２画像の領域を変更する。これにより、第２画像の切り出し位置がそれに伴って連続的に移動する。
【００５７】
記録制御部２７４は、第１画像および第２画像を時間的に連続して撮影することによって得られる第１動画データおよび第２動画データをそれぞれ記録媒体２２に記録する制御を行う。具体的には、記録制御部２７４は、第１動画仮記録部２４１に記録された第１動画データを構成する時間的に連続する第１処理画像データ群および第２動画仮記録部２４２に記録された第２動画データを構成する時間的に連続する第２処理画像データ群を同期して再生できるように、たとえば撮影時の時間情報を一致させて記録媒体２２の１つまたは複数のファイルに記録させる制御を行う。また、記録制御部２７４は、第２画像を断続的に記録する場合、第２動画データの中で第２画像を記録していない期間を、他の画像で補間して第２動画データを記録媒体２２に記録する。具体的には、記録制御部２７４は、タッチパネル１９５から第２画像の撮影の開始を指示する開始信号が入力された場合、領域設定部２７３が第２画像処理部１５に設定する領域を第２画像に対応する領域に設定する一方、タッチパネル１９５から第２画像の撮影を終了する終了信号が入力された場合、領域設定部２７３が第２画像処理部１５に設定する領域を第１画像（広角側）に対応する領域に設定する。
【００５８】
表示制御部２７５は、画像データに対応する画像を表示部２０に表示させる。表示制御部２７５は、撮像装置１の各種情報を表示部２０に表示させる。また、表示制御部２７５は、撮像装置１が第１動画および第２動画の撮影を行っている場合、第２画角の動画撮影の終了の入力を受け付ける終了情報を表示部２０に表示させる。さらに、表示制御部２７５は、第２画像処理部１５が撮影画像から切り出す領域に対応する第２画像の撮影範囲に対応する情報（たとえば矩形の枠）を表示部２０に表示させる。本実施の形態では、表示制御部２７５およびタッチパネル１９５が第２の動画撮影操作部として機能する。
【００５９】
以上の構成を有する撮像装置１に対して、電子ビューファインダ、音声入出力部、被写体に対して補助光（フラッシュ）を発光する補助光発光部、インターネットを介して外部の装置と双方向に通信を行う機能を有する通信部などをさらに設けてもよい。
【００６０】
図２は、上述した撮像装置１が実行するマルチレコーディング処理の概要を説明する図である。なお、図２において、撮像装置１は、同時刻の視野領域（被写体）に対して、２つの画角の動画の撮影時の時間情報を揃えたり、ファイルを関連づけたりして、これらを同期して再生できるように撮影するマルチレコーディング撮影モードが設定されている。さらに、図２において、表示部２０にはライブビュー画像Ｐ0が表示されている。また、図２において、図２（ａ）が撮影時のユーザの操作を示し、図２（ｂ）が第１動画の記録内容を示し、図２（ｃ）が第２動画の記録内容を示す。なお、図２において、各画像の間には、複数の画像が存在する。
【００６１】
図２に示すように、時間ｔ＝ｔ1において、ユーザが動作撮影操作部１９２を操作して動画撮影の開始信号が入力された場合、記録制御部２７４は、第１画像処理部１２が生成した第１処理画像Ｑn（ｎ＝１、２、３、・・・自然数）および第２画像処理部１５が生成した第２処理画像Ｒnそれぞれの記録を開始する。その後、記録制御部２７４は、時系列に沿って第１画像処理部１２が順次生成した第１処理画像Ｑn+1および第２画像処理部１５が順次生成した第２処理画像Ｒn+1を記録媒体２２に記録する。
【００６２】
続いて、時間ｔ＝ｔ2において、ユーザがタッチパネル１９５を介してライブビュー画像Ｐn+2に写る被写体Ａをタッチした場合、記録制御部２７４は、タッチ検出部２７２が検出したタッチ位置に基づいて、第２画像処理部１５が生成する第２動画の画角を領域設定部２７３に設定させる。具体的には、領域設定部２７３は、第２画像処理部１５が撮像素子８によって生成された画像データに対応する撮影画像から切り出す領域を、タッチ位置を含む所定の領域（たとえば撮像素子８における撮像面の１／４）に変更することで被写体Ａが写る領域（第２の画角）を設定する。これにより、第２画像処理部１５は、ユーザがタッチしたタッチ位置を含む領域を切り出して第２処理画像Ｒn+2を生成する。この際、記録制御部２７４は、第１画像処理部１２が生成した第１処理画像Ｑn+2および第２画像処理部１５が生成した第２処理画像Ｒn+2をそれぞれ記録媒体２２に記録する。なお、図２においては、ユーザがタッチした点を中心とした所定の範囲を選択する方法の場合について説明するが、ユーザが選択したい範囲の対角の頂点を指定する方法であってもよい。
【００６３】
その後、時間ｔ＝ｔ3において、表示制御部２７５は、ライブビュー画像Ｐ上に第２の画角を示すＭＲ領域Ｋ１（マルチレコーディング領域）および第２の画角の動画撮影の終了を指示する終了信号の入力を受け付ける閉じるアイコンＺ１を表示部２０に表示させる。これにより、ユーザは、ワイド側（広角側）の撮影を行いながら、第２画像の領域（望遠側）を直感的に把握することができる。この際、記録制御部２７４は、第１画像処理部１２が生成した第１処理画像Ｑn+3および第２画像処理部１５が生成した第２処理画像Ｒn+3をそれぞれ記録媒体２２に記録する。
【００６４】
続いて、時間ｔ＝ｔ4において、ユーザがタッチパネル１９５を介してライブビュー画像Ｐn+4上の閉じるアイコンＺ１をタッチした場合、記録制御部２７４は、第２画像処理部１５が生成する第２画像から第１動画の第１画像の領域に変更して領域設定部２７３に設定させる。具体的には、領域設定部２７３は、第２画像処理部１５が撮像素子８によって生成された画像データに対応する撮影画像から切り出す領域を第１画像処理部１２と同じ第１画像（第１の画角）に対応する領域（広角側）に設定する。これにより、記録制御部２７４は、第２画像を断続的に記録する場合、第２動画データの中で第２画像を記録していない期間を、第１画像で補間して第２動画データを記録することができる。この際、記録制御部２７４は、第１画像処理部１２が生成した第１処理画像Ｑn+4および第２画像処理部１５が生成した第２処理画像Ｒn+4をそれぞれ記録媒体２２に記録する。
【００６５】
その後、時間ｔ＝ｔ5において、記録制御部２７４は、第１画像処理部１２が生成した第１画像の第１処理画像Ｑn+5および第２画像処理部１５が生成した第２画像の第２処理画像Ｒn+5を記録媒体２２に記録する。
【００６６】
続いて、時間ｔ＝ｔ6において、ユーザがタッチパネル１９５を介してライブビュー画像Ｐn+6に写る被写体Ｂをタッチした場合、記録制御部２７４は、タッチ検出部２７２が検出したタッチ位置に基づいて、第２画像処理部１５が生成する第２画像の領域を領域設定部２７３に設定させる。具体的には、領域設定部２７３は、タッチ検出部２７２が検出したタッチ位置に基づいて、第２画像処理部１５が生成する第２画像の領域を設定する。たとえば、領域設定部２７３は、第２画像処理部１５が撮像素子８によって生成された画像データに対応する撮影画像から切り出す領域を被写体Ｂが写る領域に変更することで第２画像の領域を設定する。これにより、第２画像処理部１５は、ユーザがタッチしたタッチ位置を含む領域を切り出して第２処理画像Ｒn+6を生成する。この際、記録制御部２７４は、第１画像処理部１２が生成した第１処理画像Ｑn+6および第２画像処理部１５が生成した第２処理画像Ｒn+6をそれぞれ記録媒体２２に記録する。
【００６７】
その後、時間ｔ＝ｔ7において、表示制御部２７５は、ライブビュー画像Ｐn+7上に第２の画角を示すＭＲ領域Ｋ２および第２画像の撮影の終了を指示する信号の入力を受け付ける閉じるアイコンＺ１を表示部２０に表示させる。この際、記録制御部２７４は、第１画像処理部１２が生成した第１処理画像Ｑn+3および第２画像処理部１５が生成した第２処理画像Ｒn+3をそれぞれ記録媒体２２に記録する。
【００６８】
続いて、時間ｔ＝ｔ8において、ユーザがタッチパネル１９５を介してライブビュー画像Ｐn+8に写る被写体Ａをタッチした場合、記録制御部２７４は、タッチ検出部２７２が検出したタッチ位置に基づいて、第２画像処理部１５が生成する第２画像の領域を領域設定部２７３に設定させる。具体的には、領域設定部２７３は、タッチ検出部２７２が検出したタッチ位置に基づいて、第２画像処理部１５が撮像素子８によって生成された画像データに対応する撮影画像から切り出す領域を被写体Ａが写る領域に変更することで第２画像の領域を設定する。これにより、第２画像処理部１５は、ユーザがタッチしたタッチ位置を含む領域を切り出して第２画像の第２処理画像Ｒn+8を生成する。この際、記録制御部２７４は、第１画像処理部１２が生成した第１処理画像Ｑn+8および第２画像処理部１５が生成した第２処理画像Ｒn+8をそれぞれ記録媒体２２に記録する。
【００６９】
その後、記憶制御部２７４は、動画撮影操作部１９２から動画の撮影を終了する終了信号が入力されるまで、第１画像処理部１２が生成する第１処理画像および第２画像処理部１５が生成する第２画像処理を記録媒体２２に記録し続ける。
【００７０】
このように、ユーザは、動画撮影を行っている際に画面内で拡大して見たい被写体や場所を指定しながら全体の撮影を同時に行うことができる。さらに、ユーザは、表示部２０が表示するライブビュー画像を見ながら、タッチパネル１９５をタッチすることで所望の被写体を拡大して撮影することができる。さらにまた、ユーザは、異なる被写体や場所にタッチして指定するだけで、第２動画における第２画像の位置（望遠側の位置）を変更することができる。
【００７１】
つぎに、撮像装置１が実行する処理の概要について説明する。図３は、撮像装置１が実行する処理の概要を示すフローチャートである。
【００７２】
図３に示すように、撮像装置１が撮影モードに設定されている場合（ステップＳ１０１：Ｙｅｓ）、撮像装置１は、撮影モードに応じて各種パラメータを制御しながら静止画撮影または動画撮影を行う撮影制御処理を実行する（ステップＳ１０２）。なお、撮影制御処理の詳細な内容について後述する。
【００７３】
続いて、撮像装置１の電源がオフされた場合（ステップＳ１０３：Ｙｅｓ）、撮像装置１は、本処理を終了する。これに対して、撮像装置１の電源がオフされていない場合（ステップＳ１０３：Ｎｏ）、撮像装置１は、ステップＳ１０１へ戻る。
【００７４】
ステップＳ１０１において、撮像装置１が撮影モードに設定されておらず（ステップＳ１０１：Ｎｏ）、再生モードに設定されている場合（ステップＳ１０４：Ｙｅｓ）、撮像装置１は、記録媒体２２が記録する画像ファイル内の画像データや動画データを再生して表示する再生表示を実行する（ステップＳ１０５）。なお、再生表示処理の詳細な内容については後述する。ステップＳ１０５の後、撮像装置１は、ステップＳ１０３へ移行する。
【００７５】
つぎに、図３のステップＳ１０２で説明した撮影制御処理について説明する。図４は、撮影制御処理の概要を示すフローチャートである。
【００７６】
図４に示すように、表示制御部２７５は、撮像素子８が生成した画像データに対応するライブビュー画像を表示部２０に表示させ（ステップＳ２０１）、記録制御部２７４は、撮像素子８が生成した画像データをＳＤＲＡＭ２４の第１動画仮記録部２４１に仮記録する（ステップＳ２０２）。
【００７７】
続いて、タッチパネル１９５を介して表示部２０が表示するライブビュー画像に対し、第２の画角として撮影する部分指定があった場合（ステップＳ２０３：Ｙｅｓ）、撮像装置１は、第２動画の候補となる第２画角を示すＭＲ領域を表示する第２動画候補枠表示処理を実行する（ステップＳ２０４）。
【００７８】
図５は、ステップＳ２０４の第２動画候補枠表示処理の概要を示すフローチャートである。
【００７９】
図５に示すように、特徴判定部１３は、タッチ検出部２７２が検出したタッチ位置に基づいて、タッチ位置に含まれる主要被写体の特徴を判定する（ステップＳ３０１）。
【００８０】
続いて、追尾設定部１４は、特徴判定部１３が判定した特徴を有する被写体を連続する画像間で追尾する主要被写体を追尾被写体に設定する（ステップＳ３０２）。これにより、ユーザが所望する主要被写体を追尾することができる。なお、本実施の形態では、撮影前の撮像装置１の各種設定処理において、主要被写体を追尾する追尾モードを設定することができる。このため、撮像装置１の設定処理において、主要被写体を追尾する追尾モードが設定されていない場合、タッチ位置に含まれる被写体を追尾せず、この位置で待機させてもよい。
【００８１】
その後、設定操作部１９４から第２動画の位置（画角）を変更する変更信号が入力された場合（ステップＳ３０３：Ｙｅｓ）、領域設定部２７３は、第２画像処理部１５が撮像素子８によって生成された画像データに対応する撮影画像から切り出す領域を１／９に設定する（ステップＳ３０４）。これに対して、設定操作部１９４から第２の動画の画角を変更する変更信号が入力されていない場合（ステップＳ３０３：Ｎｏ）、領域設定部２７３は、第２画像処理部１５が撮像素子８によって生成された画像データに対応する撮影画像から切り出す領域を１／４に設定する（ステップＳ３０５）。
【００８２】
続いて、表示制御部２７５は、ライブビュー画像上に第２画像の領域を示すＭＲ領域の枠Ｋ１を表示部２０に表示させる（ステップＳ３０６）。その後、撮像装置１は、図４の撮影制御処理に戻る。
【００８３】
ステップＳ２０３において、タッチパネル１９５を介して表示部２０が表示するライブビュー画像に対し、第２画像として撮影する部分指定がない場合（ステップＳ２０３：Ｎｏ）およびステップＳ２０４の後、撮像装置１は、ステップＳ２０５へ移行する。
【００８４】
続いて、タッチパネル１９５を介して表示部２０が表示するライブビュー画像に対し、第２画像として撮影する部分指定の解除があった場合（ステップＳ２０５：Ｙｅｓ）、領域設定部２７３は、第２画像処理部１５が撮像素子８によって生成された画像データに対応する撮影画像から切り出す領域を、第１画像処理部１２が生成する第１動画の第１画像に対応する領域に設定する（ステップＳ２０６）。具体的には、領域設定部２７３は、閉じるアイコンＺ１がタッチされた場合、第２画像処理部１５が撮像素子８によって生成された画像データに対応する撮影画像から切り出す領域を、第１画像処理部１２が生成する第１動画の第１画像の領域に設定する。その後、撮像装置１は、ステップＳ２０７へ移行する。これに対して、タッチパネル１９５を介して表示部２０が表示するライブビュー画像に対し、第２画像として撮影する部分指定の解除がなかった場合（ステップＳ２０５：Ｎｏ）、撮像装置１は、ステップＳ２０７へ移行する。
【００８５】
その後、静止画撮影操作部１９１から２ｓｔレリーズ信号が入力されることにより、静止画撮影の指示があった場合（ステップＳ２０７：Ｙｅｓ）、撮像装置１は、静止画撮影を行う（ステップＳ２０８）。この場合において、記録制御部２７４は、第２画像の部分指定が設定されているとき、第１の画像処理部１２が画像処理を行った第１画像の静止画データと、第２の画像処理部１５が画像処理を行った第２画像の静止画データとをＳＤＲＡＭ２４の静止画仮記録部２４３に記録する。
【００８６】
続いて、記録制御部２７４は、静止画データに、第１動画仮記録部２４１が記録する動画データ、たとえば静止画データを撮影した際の前後（たとえば３秒間）の動画データを対応付けて記録媒体２２に記録する（ステップＳ２０９）。その後、撮像装置１は、図３のメインルーチンへ戻る。
【００８７】
ステップＳ２０７において、静止画撮影の指示がなく（ステップＳ２０７：Ｎｏ）、動画撮影操作部１９２から動画の開始を指示する開始信号が入力されることにより、動画撮影の指示があった場合（ステップＳ２１０：Ｙｅｓ）、撮像装置１は、第１動画および第２動画の記録を開始する（ステップＳ２１１）。この場合、記録制御部２７４は、第１画像処理部１２が生成する第１動画の第１処理画像データ、第２画像処理部１５が生成する第２動画の第２処理画像データを時系列に沿って同期できるように記録（前述のようにファイル関連付けや時間情報を揃える措置を差す。以下同様）するための動画ファイルを記録媒体２２に生成し、この動画ファイルに第１処理画像データおよび第２画像処理データを同期させて記録を開始する。
【００８８】
続いて、静止画撮影操作部１９１から２ｓｔレリーズ信号が入力されることにより、静止画撮影の指示があった場合（ステップＳ２１２：Ｙｅｓ）、撮像装置１は、静止画撮影を行う（ステップＳ２１３）。この場合、記録制御部２７４は、第１画像と第２画像との画角が異なっている場合、第１画像の静止画データと、第２画像の静止画データとを動画ファイルに記録する。また、記録制御部２７４は、第１画像と第２画像との画角（トリミング領域）が同じ場合、第１画像の静止画データのみを動画ファイルに記録してもよい。これに対して、静止画撮影の指示がない場合（ステップＳ２１２：Ｎｏ）、撮像装置１は、ステップＳ２１４へ移行する。
【００８９】
その後、動画撮影操作部１９２から動画の終了を指示する終了信号が入力されることにより、撮像装置１が動画撮影を終了した場合（ステップＳ２１４：Ｙｅｓ）、記録制御部２７４は、画像圧縮展開部１８に所定の形式に従って記録媒体２２に記録された動画ファイルを圧縮させて記録媒体２２に記録する（ステップＳ２１５）。その後、撮像装置１は、図３のメインルーチンへ戻る。
【００９０】
ステップＳ２１４において、撮像装置１が動画撮影を終了しない場合（ステップＳ２１４：Ｎｏ）、撮像装置１は、ステップＳ２１６へ移行する。
【００９１】
続いて、タッチパネル１９５を介して表示部２０が表示するライブビュー画像に対し、第２の画角として撮影する部分指定があった場合（ステップＳ２１６：Ｙｅｓ）、記録制御部２７４は、第２動画をタッチ位置に応じた画角で記録する（ステップＳ２１７）。この場合、領域設定部２７３は、検出部２７２が検出したタッチ位置に基づいて、第２画像処理部１５が撮像素子８によって生成された画像データに対応する撮影画像から切り出す領域を設定する。これにより、タッチ位置を含む領域を拡大した第２の画角である第２動画を記録することができる。この際、記録制御部２７４は、タッチパネル１９５がタッチされたタッチ位置および時間情報（タッチタイミング）を含むタッチ情報を第１動画および第２動画に対応付けて記録媒体２２に記録する。もちろん、第２動画の位置を変えない場合もあり、タッチ以外で変える場合もあって、時間情報だけでもよい。タッチ操作は、直感的であり、簡単に操作ができるので、撮影者の意志を尊重した操作が直感的にできる。また、この状況下で、撮像装置１に主要被写体を追尾する追尾モードが設定されている場合、特徴判定部１３がタッチ位置に含まれる特徴を判定し、追尾設定部１４が特徴判定部１３によって判定された特徴を有する被写体を第２の画角で追尾し、領域設定部２７３が追尾設定部１４の追尾結果に基づいて、第２画像処理部１５が切り出す領域を連続する画像間で変更しながら追尾してもよい。このような特徴判定も、追尾以外のケースもあるので、必ずしも必要ではない。その後、撮像装置１はステップＳ２１８へ移行する。
【００９２】
ステップＳ２１６において、タッチパネル１９５を介して表示部２０が表示するライブビュー画像に対し、第２画像として撮影する部分指定がない場合（ステップＳ２１６：Ｎｏ）、撮像装置１は、ステップＳ２１８へ移行する。
【００９３】
その後、タッチパネル１９５を介して表示部２０が表示するライブビュー画像に対し、第２画像として撮影する部分指定の解除があった場合（ステップＳ２１８：Ｙｅｓ）、領域設定部２７３は、第２画像処理部１５が撮像素子８によって生成された画像データに対応する撮影画像から切り出す領域を、第１画像処理部１２が生成する第１動画の第１画角に設定し、記憶制御部２７４は、第２動画を第１動画の画角で記録する（ステップＳ２１９）。具体的には、記録制御部２７４は、第２画像処理部１５が生成する第２動画の第２画像の領域から第１動画の第１画像の領域に変更して領域設定部２７３に設定させる。この場合、領域設定部２７３は、第２画像処理部１５が撮像素子８によって生成された画像データに対応する撮影画像から切り出す領域を第１画像処理部１２と同じ第１画像に対応する領域に設定する。その後、撮像装置１は、ステップＳ２１２へ戻る。
【００９４】
ステップＳ２１８において、タッチパネル１９５を介して表示部２０が表示するライブビュー画像に対し、第２画像として撮影する部分指定の解除がなかった場合（ステップＳ２１８：Ｎｏ）、撮像装置１は、ステップＳ２１２へ戻る。
【００９５】
ステップＳ２１０において、動画撮影の指示がなく（ステップＳ２１０：Ｎｏ）、撮影モードが終了の場合（ステップＳ２２０：Ｙｅｓ）、撮像装置１は、図３のメインルーチンへ戻る。これに対して、動画撮影の指示がなく（ステップＳ２１０：Ｎｏ）、撮影モードが終了していない場合（ステップＳ２２０：Ｎｏ）、撮像装置１は、ステップＳ２０１へ戻る。
【００９６】
つぎに、図３のステップＳ１０５の再生表示処理について説明する。図６は、再生表示処理の概要を示すフローチャートである。
【００９７】
図６に示すように、表示制御部２７５は、記録媒体２２が記録するファイルの一覧を表示部２０に表示する（ステップＳ４０１）。
【００９８】
続いて、設定操作部１９４またはタッチパネル１９５を介してファイルが選択された場合（ステップＳ４０２：Ｙｅｓ）、制御部２７は、選択されたファイルがマルチフレームであるか否かを判断する（ステップＳ４０３）。選択されたファイルがマルチフレームであると制御部２７が判断した場合（ステップＳ４０３：Ｙｅｓ）、撮像装置１は、後述するステップＳ４０４へ移行する。これに対して、選択されたファイルがマルチフレームでないと制御部２７が判断した場合（ステップＳ４０３：Ｎｏ）、撮像装置１は、後述するステップＳ４１３へ移行する。
【００９９】
ステップＳ４０４において、制御部２７は、第１動画圧縮展開部１８２および第２動画圧縮展開部１８３に記録媒体２２が記録する圧縮された第１動画データおよび圧縮された第２動画データをＳＤＲＡＭ２４で展開させ、この展開した第１動画データに対応する第１動画および第２動画データに対応する第２動画の再生を開始する。
【０１００】
続いて、第２動画に第１動画の画角と異なる別の画角がある場合（ステップＳ４０５：Ｙｅｓ）、表示制御部２７５は、第１動画をメインで表示して、第２動画をサブで表示し（ステップＳ４０６）、サブで表示された動画がタッチされた場合（ステップＳ４０７：Ｙｅｓ）、表示制御部２７５は、第１動画と第２動画との表示領域を徐々に切り替えて表示部２０に表示させる（ステップＳ４０８）。
【０１０１】
図７は、マルチフレームの動画を手動で切り替える際の動画の遷移を模式的に示す図である。図７に示すように、ユーザがタッチパネル１９５を介して表示部２０がサブで表示する第２動画Ｒnを選択した場合（図７（ａ））、表示制御部２７５は、第１動画Ｑn+1と第２動画Ｒn+１との表示領域を徐々に切り替えて表示部２０に表示させる（図７（ｂ）→図７（ｃ）→図７（ｄ）→図７（ｅ））。これにより、第１動画から第２動画に滑らかに表示領域が遷移するので、ユーザは、違和感なく画像を鑑賞することができる。さらに、ユーザは、同時刻で撮影した全体の雰囲気を楽しみながら、第２動画を拡大して確認することができる。なお、表示制御部２７５は、第２動画がメインで表示され、第１動画がサブで表示されている場合において、ユーザがタッチパネル１９５を介して第１動画を選択したとき、第１動画と第２動画との表示領域を徐々に切り替えながら表示部２０に表示させる。この際、表示制御部２７５は、瞬時に第１動画と第２動画とを切り替えてもよい。ステップＳ４０８の後、撮像装置１は、ステップＳ４０９に移行する。
【０１０２】
ステップＳ４０９において、動画の再生が終了した場合（ステップＳ４０９：Ｙｅｓ）撮像装置１は、図３のメインルーチンへ戻る。これに対して、動画の再生が終了していない場合（ステップＳ４０９：Ｎｏ）、撮像装置１は、ステップＳ４０７へ戻る。
【０１０３】
ステップＳ４０７において、サブで表示された動画がタッチされていない場合（ステップＳ４０７：Ｎｏ）、制御部２７は、第２動画データに撮影時のタッチ情報が含まれているか否かを判断する（ステップＳ４１０）。撮影時のタッチ情報が含まれていると制御部２７が判断した場合（ステップＳ４１０：Ｙｅｓ）、表示制御部２７５は、タッチ情報に基づいて、第１動画と第２動画との表示領域を徐々に切り替えて表示部２０に表示させる（ステップＳ４１１）。
【０１０４】
図８および図９は、マルチフレームの動画を自動で切り替える際の動画の遷移を模式的に示す図である。図８および図９において、表示制御部２７５は、第１動画をメインで表示し、第２動画をサブで表示する。さらに、表示制御部２７５は、マルチフレームにおける動画再生時間の全体の長さを示すタイムバーＴ１を表示部２０に表示させる。さらにまた、表示制御部２７５は、選択されたファイルに記録された撮影時のタッチ情報に基づいて、タイムバーＴ１上にユーザが撮影時にタッチしたタッチの時間情報を示す指標Ｉ1および指標Ｉ2をタイムバーＴ１上に表示させる。指標Ｉ1は、第２動画を第１の画角で撮影している場合において、第２の画角に変更したときの時刻を示し、指標Ｉ2は、第２動画を第２の画角で撮影している場合において、異なる位置で第２の画角の第２動画を開始したときのタイミングを示す。また、表示制御部２７５は、現在の撮影時刻を示すアイコンＤ1をタイムバーＴ１上に表示させる。
【０１０５】
図８に示すように、表示制御部２７５は、タッチ情報に基づいて、第１動画と第２動画との表示領域を徐々に切り替えて表示部２０に表示させる（図８（ａ）→図８（ｂ）→図８（ｃ）→図８（ｄ）→図８（ｅ））。この際、表示制御部２７５は、撮影時刻（アイコンＤ1）がタイムバーＴ１上の指標Ｉ1に近づくにつれて、第２動画の表示領域を拡大する。これにより、第１動画から第２動画に滑らかに表示領域が遷移するので、ユーザは、違和感なく画像を鑑賞することができる。さらに、ユーザは、同時刻で撮影した全体の雰囲気を楽しみながら、第２動画を拡大して確認することができる。
【０１０６】
また、図９に示すように、表示制御部２７５は、タッチ情報に基づいて、異なる画角の第２動画を切り替えて表示部２０に表示させる場合、第２動画の遷移の途中で黒く塗り潰した画像Ｏ1（ブラックアウト）を連続する動画の中に挟みこむことで表示部２０に表示させる（図９（ａ）→図９（ｂ）→図９（ｃ）→図９（ｄ）→図９（ｅ））。この際、表示制御部２７５は、撮影時刻（アイコンＤ1）がタイムバーＴ１上の指標Ｉ2に到達したときに、黒塗り画像Ｏ1を表示部２０に表示させる。これにより、第２の画角から別の第２の画角に切り替わっても、違和感なく再生することができる。ステップＳ４１１の後、撮像装置１は、ステップＳ４０９へ移行する。
【０１０７】
ステップＳ４１０において、選択されたファイルに撮影時のタッチ情報がない場合（ステップＳ４１０：Ｎｏ）、撮像装置１は、ステップＳ４０９へ移行する。
【０１０８】
ステップＳ４０５において、第２動画に別な画角がない場合（ステップＳ４０５：Ｎｏ）、表示制御部２７５は、第２動画を非表示にする（ステップＳ４１２）。この場合、第２動画は、第１動画に同期して再生されている。その後、撮像装置１は、ステップＳ４０９へ移行する。
【０１０９】
ステップＳ４０３において、選択されたファイルがマルチフレームでない場合（ステップＳ４０３：Ｎｏ）、表示制御部２７５は、選択されたファイルの画像データを再生する（ステップＳ４１３）。
【０１１０】
続いて、画像データが終了した場合（ステップＳ４１４：Ｙｅｓ）、撮像装置１は、図３のメインルーチンへ戻る。これに対して、画像データが終了していない場合（ステップＳ４１４：Ｎｏ）、制御部２７は、この判断を続ける。
【０１１１】
ステップＳ４０２において、ファイルが選択されておらず（ステップＳ４０２：Ｎｏ）、再生モードが終了の場合（ステップＳ４１５：Ｙｅｓ）、撮像装置１は、図３のメインルーチンへ戻る。これに対して、再生モードが終了していない場合（ステップＳ４１５：Ｎｏ）、撮像装置１は、ステップＳ４０１へ戻る。
【０１１２】
以上説明した本発明の一実施の形態によれば、記録制御部２７４が第２画像を断続的に記録する場合、第２動画データの中で第２画像を記録していない期間を、他の画像で補間して第２動画データを記録する。この結果、異なる画角で撮影した画像を用いて、より変化に富んだ動画の撮影を行うことができるという。
【０１１３】
また、本発明の一実施の形態によれば、記録制御部２７４が第１動画データおよび第２動画データをそれぞれ記録媒体２２に記録する。この結果、ユーザは、所望の被写体を拡大した第２動画データのみを再生することもできるし、全体を写した第１動画データのみを再生することもできる。
【０１１４】
また、本発明の一実施の形態によれば、記録制御部２７４が第１動画データおよび第２動画データを同期させて再生できるように記録媒体２２に記憶する。この結果、ユーザは、第１動画データおよび第２動画データを同時に再生する場合、第１動画データを構成する第１画像と、第２動画データを構成する第２画像との表示領域や表示を再生時に手動で切り替えながら鑑賞することができ、変化に富んだ動画を楽しむことができる。
【０１１５】
また、本発明の一実施の形態によれば、記録制御部２７４が第１動画データおよび第２動画データを同期させて再生できるように記録媒体２２に記録すると、同時に第２画像の切り出し位置の変更や切り出しの終了の時間情報を付加している。この結果、ユーザは、第１動画データおよび第２動画データを同時に再生する場合、第１動画データを構成する第１画像と、第２動画データを構成する第２画像との表示領域や表示を自動的に切り替えながら鑑賞することができ、変化に富んだ動画を楽しむことができる。
【０１１６】
また、本発明の一実施の形態によれば、領域設定部２７３がタッチパネル１９５から入力される位置信号に応じた位置に対応する撮影画像の領域を第２画像処理部１５が第２画像として切り出す領域に設定する。この結果、ユーザは、直感的な操作で所望の領域を拡大した第２動画データの領域を設定することができる。これにより、ユーザの意志を直感的に反映することができる。
【０１１７】
また、本発明の一実施の形態によれば、ユーザがタッチパネル１９５を操作するだけで、第２動画データを構成する第２画像の領域を変化させることができるので、画角や撮影位置をユーザの意志で変化を付けた第２動画を撮影することができる。この結果、より変化に富んだ動画の撮影を行うことができるという。
【０１１８】
また、本実施の一実施の形態によれば、画像圧縮展開部１８が所定の方式に従ってコマ間圧縮を行っているので、記録制御部２７４が第１動画データおよび第２動画データを同期させて記録媒体２２に記録する。これにより、第１動画データおよび第２動画データを同時に再生した場合において、ユーザがサブに表示された一方の動画を選択したとき、選択した動画にコマ（フレーム）落ちが生じないため、滑らかに動画の遷移を行うことができる。なお、第１動画および第２動画を同期して記録しない場合、画像圧縮展開部１８が所定の方式に従ってコマ間圧縮を行っているので、ユーザがサブに表示された一方の動画を選択したとき、この選択した動画にコマ落ちが生じるため、次のコマまで待機させる必要があり、動画の遷移が断続的になる。
【０１１９】
さらに、本実施の一実施の形態によれば、領域設定部２７３が追尾設定部１４によって設定された追尾被写体に対応する領域を第２の画角として第２画像処理部１５が撮影画像から切り出す領域に設定するので、ユーザが所望する主要被写体を拡大した動画を第２動画として撮影することができる。なお、追尾設定部１４は、追尾被写体が撮像装置１の視野領域から消失した場合、追尾被写体が消失した位置で所定時間（たとえば３秒）待機後、追尾を解除してもよい。また、追尾設定部１４は、所定時間内に追尾被写体が撮像装置１の視野領域内に写り込んだ場合、追尾被写体の追尾を継続してもよい。この際、追尾設定部１４は、待機している位置から徐々（ヒステリシス数や係数を持たせる）に追尾被写体に移動させて、画角が急激に変わることを防止してもよい。さらに、領域設定部２７３は、追尾被写体の大きさが一定になるように、第２の画角として第２画像処理部１５が撮影画像から切り出す領域を適宜調整してもよい。
【０１２０】
なお、本実施の一実施の形態では、領域設定部２７３がタッチ位置に応じて第２画像処理部１５が撮影画像から切り出す領域を設定していたが、デフォルト（初期設定）で第２画像処理部１５が撮影画像から切り出す領域を撮影画像の中央を含む領域に設定してもよい。さらに、領域設定部２７３は、顔検出部２７１の検出結果に応じて、第２画像処理部１５が撮影画像から切り出す領域を設定してもよい。
【０１２１】
また、本実施の一実施の形態では、領域設定部２７３がタッチ位置に応じて第２画像処理部１５が撮影画像から切り出す領域を設定していたが、ピンチ操作（ピンチインやピンチアウト）、タップ操作またはホールド操作に応じて第２画像処理部１５が撮影画像から切り出す領域を設定してもよい。さらに、領域設定部２７３は、タッチの軌跡に応じて第２画像処理部１５が撮影画像から切り出す領域を設定してもよい。
【０１２２】
また、本実施の一実施の形態では、記録制御部２７４は、第２動画データの中で第２画像を記録していない記録を第１動画で補間して第２動画を記録媒体２２に記録していたが、他の動画、たとえば予め設定されているブラックアウト画像やホワイトアウト画像等によって補間した第２動画を記録媒体２２に記録してもよい。
【０１２３】
また、本実施の一実施の形態では、動画のアスペクト比を１６：９で説明していたが、アスペクト比を、たとえば４：３や３:２に適宜設定することができる。
【０１２４】
また、本実施の一実施の形態では、第１画像処理部１２が撮影画像に対して画像処理を行って第１動画データを構成する第１処理画像データを生成したが、たとえば撮影画像（有効領域）から所定の領域を切り出し、この切り出した領域の画像に画像処理を行って第１動画データを構成する第１処理画像データを生成してもよい。
【０１２５】
また、本実施の一実施の形態では、第１画像が第２画像よりも画角が小さくてもよい。
【０１２６】
また、本実施の一実施の形態では、記録制御部２７４は、第１動画データおよび第２動画データを同期させて再生できるように記録媒体２２に記録していたが、第１動画データおよび第２動画データを同期させて表示することができればよく、第１動画データおよび第２動画データを時分割で記録媒体２２に記録してもよい。
【０１２７】
また、本実施の一実施の形態では、再生時に第２動画から第１動画に切り替える場合、撮影時のタッチ情報に基づいて、第２動画が第１動画の中に吸い込まれるように表示領域を徐々に小さくしながら遷移させてもよい。具体的には、図１０に示すように、表示制御部２７５は、撮影時のタッチ情報に基づいて、第２の画角に対応する第１動画の位置に第２動画の表示領域を徐々に縮小しつつ戻しながら、第１動画の表示領域を拡大する（図１０（ａ）→図１０（ｂ）→図１０（ｃ）→図１０（ｄ）。その後、表示制御部２７５は、第２動画をサブ領域に表示させる（図１０（ｅ））。これにより、ユーザは、撮影時でタッチした位置を容易に把握することができる。
【０１２８】
また、本実施の一実施の形態では、ユーザが撮影時にタッチパネル１９５を介してライブビュー画像にタッチした場合、表示制御部２７５が第２の画角の位置を示す領域をライブビュー画像上に重畳して表示していたが、タッチ位置を含む領域を切り出してライブビュー画像上の所定の位置に表示させてもよい。具体的には、図１１に示すように、表示制御部２７５は、ユーザがタッチパネル１９５を介して表示部２０が表示するライブビュー画像をタッチした場合、タッチ検出部２７２の検出結果に応じて、タッチ位置を含む領域を拡大してライブビュー画像上の左上に第２画角の第２動画Ａ１０を重畳させて表示させてもよい。これにより、タッチによって隠れる被写体を確認することができるとともに、より第２画像の内容を直感的に把握することができる。
【０１２９】
また、本実施の一実施の形態では、表示制御部２７５がタッチ情報に基づいて、表現効果を伴って第１画像および第２画像それぞれの表示領域を切り替えていたが、たとえば第１画像と第２画像とを合成（多重露出）し、この第１画像と第２画像とを合成する合成比率を徐々に切り替える表現効果を行って表示部２０に表示させてもよい。さらに、表現効果として、第１画像および第２画像それぞれにフェードアウト、フェードイン、オーバラップおよびクロスフェード等の表現効果（映像効果）を用いて表示部２０に表示させてもよい。
【０１３０】
また、本実施の一実施の形態では、記録制御部２７４が第１動画および第２動画をそれぞれ記録媒体２２に記録させていたが、図１２に示すように、第１動画および第２動画を同期させながら合成することによって記録媒体２２に記録させてもよい（期間（ａ），期間（ｃ））。この場合、記録制御部２７４は、図１２に示すように、同じ画角の記録期間の画像を削除して記録媒体に記録させてもよい（期間（ｂ））。
【０１３１】
また、本実施の一実施の形態では、領域設定部２７３が顔検出部２７１によって検出された顔を含む領域を、第２画像処理部１５が撮影画像から切り出す領域に設定してもよい。なお、領域設定部２７３は、顔検出部２７１が撮影画像から複数の顔を検出している場合、顔のサイズが最も大きい顔を含む領域を第２画像処理部１５が撮影画像から切り出す領域に設定してもよい。さらに、領域設定部２７３は、顔検出部２７１が撮影画像から検出した顔が笑顔の場合のみ、この笑顔の顔を含む領域を第２画像処理部１５が撮影画像から切り出す領域に設定してもよい。
【０１３２】
また、本実施の一実施の形態では、第１動画および第２動画のみであったが、第１動画および第２動画の画角と異なる第３動画を記録してもよい。さらに、複数の画角の動画を記録してもよい。さらにまた、第１動画の画角が広角側（第１の画角）でなく、望遠側（第２の画角）であってもよい。
【０１３３】
また、本実施の一実施の形態では、第１画像、または第１画像と第２画像の両方は、撮影画像と異なる画角および／または撮影位置で切り出されてもよい。
【０１３４】
また、本実施の一実施の形態では、第１動画がすでに、撮像素子８で取得できた元の画像（撮影画像）のうち、たとえば必要なアスペクト比で所定領域を切り取った動画であって、第２動画は、第１動画からではなく、元の画像から切り取ったものであってもよい。実際、カメラで撮影される静止画の画像のアスペクト比と、例えばテレビで再生する動画用のアスペクト比は異なる場合が多い。したがって、元の画像から、第１動画と第２動画をそれぞれ取り出すような仕様も容易に考えられるが、このような仕様にも、本発明が応用可能であることは言うまでもない。
【０１３５】
また、本実施の一実施の形態では、「動画データ」と表現して説明を単純化したが、厳密には、これらの中には、スルー画（ライブビュー）用にリサイズされた静止画の連続のものもあれば、記録されるためにコマ間圧縮されたものもある。再生時の動画データでも、所定のフォーマットでファイル化されていたりする。さらに、ユーザにとっては、いずれも同じような画像が表示されるので、これらの違いは認識されていない場合もあり、また、技術的にも、設計に応じて、記録時にコマ間圧縮しない場合もある。これらの事を鑑みて、撮像素子８の出力を画像処理したものを包括して「動画データ」という表現を行っている。
【０１３６】
なお、本発明においては、レンズ部２と撮像素子８が１つの筐体に設けられたデジタルカメラを例に説明したが、レンズ部２が着脱自在なレンズ装置と本体部とで構成されたデジタル一眼レフカメラであっても適用することができる。
【０１３７】
また、本発明に係る撮像装置は、デジタルカメラ以外にも、例えばアクセサリ等を装着可能なデジタルカメラ、デジタルビデオカメラおよび撮影機能を有する携帯電話やタブレット型携帯機器等の電子機器にも適用することができる。
【０１３８】
本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１３９】
このように、本発明は、ここでは記載していない様々な実施の形態を含みうるものであり、特許請求の範囲によって特定される技術的思想の範囲内で種々の設計変更等を行うことが可能である。
【０１４０】
（付記１）
画角および／または撮影位置が異なる第１画像および第２画像を撮影可能な撮像装置であって、
被写体を撮像して該被写体の画像データを生成する撮像部と、
前記撮像部が生成した前記画像データに対応する撮影画像を表示可能な表示部と、
前記表示部の表示画面上に設けられ、外部からの物体のタッチを検出し、検出したタッチ位置に応じた位置信号を出力するタッチパネルと、
前記タッチパネルから入力される位置信号に応じた位置に対応する前記撮影画像の領域を、撮影画像から前記第２画像として切り出す領域として設定する領域設定部と、
前記領域設定部が設定した前記領域を前記撮影画像から順次切り出すことによって前記第２画像が時間的に連続する第２動画データを生成する画像処理部と、
前記第１画像を時間的に連続して撮影することによって得られる第１動画データおよび前記第２動画データをそれぞれ記録する制御を行う記録制御部と、
を備えたことを特徴とする撮像装置。
【符号の説明】
【０１４１】
１  撮像装置
２  レンズ部
３  レンズ駆動部
４  絞り
５  絞り駆動部
６  シャッタ
７  シャッタ駆動部
８  撮像素子
９  撮像素子駆動部
１０  信号処理部
１１  Ａ／Ｄ変換部
１２  第１画像処理部
１３  特徴判定部
１４  追尾設定部
１５  第２画像処理部
１６  ＡＥ処理部
１７  ＡＦ処理部
１８  画像圧縮展開部
１９  入力部
２０  表示部
２１  表示駆動部
２２  記録媒体
２３  メモリＩ／Ｆ
２４  ＳＤＲＡＭ
２５  Ｆｌａｓｈメモリ
２６  バス
２７  制御部
１８１  静止画圧縮展開部
１８２  第１動画圧縮展開部
１８３  第２動画圧縮展開部
１９１  静止画撮影操作部
１９２  動画撮影操作部
１９３  モード切替操作部
１９４  設定操作部
１９５  タッチパネル
２４１  第１動画仮記録部
２４２  第２動画仮記録部
２４３  静止画仮記録部
２５１  プログラム記録部
２５２  特徴情報記録部
２７１  顔検出部
２７２  タッチ検出部
２７３  領域設定部
２７４  記録制御部
２７５  表示制御部
【図１】
0005806623.tif 000002
【図２】
0005806623.tif 000003
【図３】
0005806623.tif 000004
【図４】
0005806623.tif 000005
【図５】
0005806623.tif 000006
【図６】
0005806623.tif 000007
【図７】
0005806623.tif 000008
【図８】
0005806623.tif 000009
【図９】
0005806623.tif 000010
【図１０】
0005806623.tif 000011
【図１１】
0005806623.tif 000012
【図１２】
0005806623.tif 000013